(57)【要約】【課題】成形装置は稼働のままで、ダイのリップ部に付着する異物を除去する異物除去方法を提供する。【解決手段】スプライン軸４６に沿って保持体４２を移動させることによって、除去具の端部６２をリップ部３４と離れた位置に維持しつつ、リップ口３２に沿う一対の縁のうち一方の縁３８に沿う方向へ移動させる。次に、除去具のハンドル６０を位置規制部６４の面６６と保持体４２の面６８とが当接するまで押し込むことによって、除去具の端部６２をリップ面３０に沿って縁３８へ移動させる。以上の工程によって、縁３８の近傍のリップ部３４に付着した異物がリップ口３２から押し出される樹脂に押し付けられて、この樹脂と共に除去される。したがって、かかる異物除去方法によれば、成形装置は稼働のままで、リップ部３４に付着した異物を除去することができる。【選択図】  図１
2004223915.tif 000002
【特許請求の範囲】
【請求項１】
ダイのリップ口の周囲のリップ部に付着する異物を除去する異物除去方法であって、
除去具の端部を前記リップ口を含む面において前記リップ部から離れた位置に維持しつつ、前記リップ口に沿う一対の縁のうち一方の縁に沿う方向へ当該除去具の端部を案内する第１の工程と、
前記除去具の端部を前記リップ口を含む面において前記一方の縁に交差する方向へ当該一方の縁まで移動させて前記リップ口から押し出される樹脂に前記異物を押し付ける第２の工程と
を含むことを特徴とする異物除去方法。
【請求項２】
前記除去具として、前記端部にフッ素系樹脂を含む層が表面に形成されている除去具を用いることを特徴とする請求項１に記載の異物除去方法。
【請求項３】
請求項１に記載の異物除去方法に用いられる異物除去装置であって、
ダイのリップ部に付着した異物を除去するための端部を有する除去具と、
ダイに取り付けられ当該ダイのリップ口に沿って延びる一対の縁のうち一方の縁に平行に延びる案内体と、
前記案内体により支持、案内され、且つ、前記除去具を保持する保持体であって、前記除去具の端部を前記一方の縁に交差し前記リップ口を含む面に沿う方向へ前記リップ部から離れた位置と前記一方の縁との間において案内する保持体とを備えることを特徴とする異物除去装置。
【請求項４】
前記除去具の前記端部は、その表面にフッ素系樹脂を含む層が形成されていることを特徴とする請求項３に記載の異物除去装置。
【発明の詳細な説明】
【０００１】
【発明の属する技術分野】
本発明は、ダイのリップ口を囲むリップ部に付着したいわゆるメヤニ等の異物を除去する異物除去方法、及び異物除去装置に関するものである。
【０００２】
【従来の技術】
溶融された樹脂をダイのリップ口から押し出して樹脂フィルム又は樹脂シート（以下、本明細書では樹脂フィルム及び樹脂シートのことを、省略して「フィルム」という）を成形する成形装置では、フィルムを成形している際に、リップ口から押し出される樹脂やそれに含まれる添加物がダイのリップ口の周囲のリップ部に付着する結果、リップ部にメヤニ等の異物が発生する。リップ部に付着した異物が、リップ口から押し出される樹脂に接触したり、あるいは異物が樹脂に混入したりすると、成形されるフィルムの品質が劣化する。そのため、従来からリップ部に発生する異物を除去するための技術が提案されている。その一つとして、ダイのリップに摺動自在に設けられた一対の摺動体と、摺動体を保持する一対の保持体と、保持体を移動自在に保持するための案内体と、保持体を移動させる移動手段とを備える異物除去装置が知られている。この装置では摺動体をリップ部の縁に沿って摺動させることによって、リップ部に付着した異物を除去することができる（特許文献１）。
【０００３】
【特許文献１】
特開平５−９２４６７号公報
【０００４】
【発明が解決しようとする課題】
しかし、上述の異物除去装置によってリップ部に付着した異物を除去するためには、成形装置を停止させる必要がある。この異物除去装置では異物を除去する時に、摺動体をリップ部とリップ口に跨った状態として、リップ部の縁に沿って移動させるので、成形装置を稼働させたままではリップ口から押し出される樹脂が過剰に摺動体に付着する結果、却ってリップ部を汚すからである。しかしながら、成形装置は一旦停止させると、製品として利用可能なフィルムを安定して製造可能とするまでに時間を要するため、上記の異物除去装置を用いると製品の生成効率が低下する。
【０００５】
そこで本発明は、成形装置は稼働のままで、ダイのリップ部に付着する異物を除去する異物除去方法、及びこの方法に用いられる異物除去装置を提供することを課題としている。
【０００６】
【課題を解決するための手段】
発明者は上記の課題を解決するために行った研究の結果、成形装置においては、リップ口に沿う一対の縁のうち一方の縁の周囲のリップ部に異物が付着し易いという特徴があることを見出した。そして発明者はこの知見に基づいて、リップ口を含む面に沿って上記の一方の縁に交差する方向へリップ部と離れた位置から一方の縁まで除去具の端部を移動させることによって、リップ部に付着した異物をリップ口から押し出される樹脂に押し付けて除去することができることを見出した。
【０００７】
このような知見に基づいて本発明の異物除去方法は、ダイのリップ口の周囲のリップ部に付着する異物を除去する異物除去方法であって、除去具の端部を、上記リップ口を含む面において上記リップ部から離れた位置に維持しつつ、上記リップ口に沿う一対の縁のうち一方の縁に沿う方向へ当該除去具の端部を案内する第１の工程と、上記除去具の端部を上記リップ口を含む面において上記一方の縁に交差する方向へ当該一方の縁まで移動させて上記リップ口から押し出される樹脂に上記異物を押し付ける第２の工程とを含む。
【０００８】
本発明の異物除去方法では、除去具の端部をリップ部に接触させずに異物が付着しているリップ部の近傍まで案内し（第１の工程）、除去具の端部を上記の一方の縁まで移動させる（第２の工程）ことによってリップ口から押し出される樹脂に異物を押し付けて除去するので、成形装置は稼働のままで、リップ部に付着した異物を除去することができる。また、この方法によれば、除去具の端部をリップ口に至らせることなく、リップ部に付着した異物を除去することができるので、リップ口から押し出される樹脂が除去具の端部に過剰に付着することがない。故に、除去具の端部によってリップ部を汚すことがない。
【０００９】
また、本発明は別の面においては、上記の異物除去方法に用いられる異物除去装置であって、ダイのリップ部に付着した異物を除去するための端部を有する除去具と、ダイに取り付けられダイのリップ口に沿って延びる一対の縁のうち一方の縁に平行に延びる案内体と、案内体に支持、案内され、且つ、除去具を保持する保持体であって、除去具の端部を上記の一方の縁に交差しリップ口を含む面に沿う方向へリップ部から離れた位置と一方の縁との間において案内する保持体とを備える。
【００１０】
かかる構成の異物除去装置によれば、保持体を案内体に沿って移動させることによって除去具の端部を上記の一方の縁に沿う方向へ案内することができ、保持体によって除去具の端部を上記の一方の縁まで案内することができるので、上述の異物除去方法によって実施される異物の除去を精度良く実現することができる。
【００１１】
また、上記の除去具の端部は、その表面にフッ素系樹脂を含む層が形成されていることが好ましい。端部にフッ素系樹脂を含む層が形成された除去具には異物が粘着し難いので、リップ部に付着した異物が除去具の端部に付着することを防止して、この異物をリップ口から押し出される樹脂に確実に押し付けることができる。
【００１２】
【発明の実施の形態】
本発明の第１実施形態にかかる異物除去方法について添付の図面を参照して説明する。なお、以下の実施形態に関する説明においては、説明の理解を容易にするため、各図面において同一又は相当の部分には同一の符号を附すこととする。
【００１３】
図１は、本実施形態にかかる異物除去方法に用いられる異物除去装置１の構成を示す断面図であり、異物除去装置１が成形装置２のＴダイ４に取り付けられた一例を示している。なお、本明細書において、方向を示す語のうち「上下」については、図１に示す状態を基準とする。すなわち、Ｔダイ４から樹脂が押し出される方向を下方としている。また、図２は、Ｔダイ４に取り付けられた異物除去装置１の構成をＴダイ４の下方から見て示した図であり、図３は、異物除去装置１を取り付けた成形装置２の全体構成を概略的に示す側面図である。
【００１４】
図３に示すように、成形装置２は、押出機６と、フィードブロック８と、Ｔダイ４と、バキュームチャンバ１０と、チルロール１２と、複数のロール１４、１６、１８、２０、２２、２４、及び２６と、巻き取りロール２８とを備える。成形装置２では、押出機６によって溶融混練された樹脂がフィードブロック８を介してＴダイ４から押し出される。Ｔダイ４から押し出される樹脂は、バキュームチャンバ１０によってチルロール１２に引き付けられ、チルロール１２によって急速冷却されることによって硬化する。チルロール１２において硬化した樹脂は、複数のロール１４、１６、１８、２０、２２、２４、及び２６を介して、巻き取りロール２８にフィルムとして巻き取られる。
【００１５】
図１及び図２に示すように、Ｔダイ４の下面（以下、本明細書では「リップ面」という）３０の中央部には、リップ口３２が形成されている。リップ口３２は、溶融された樹脂を押し出してフィルムを成形するためにスリット状の開口とされている。Ｔダイ４においては、リップ面３０のうちリップ口３２の周囲がリップ部３４である。Ｔダイ４から押し出される樹脂３６は、リップ口３２の長手方向に沿う一対の縁のうち一方の縁３８を含むリップ面３０の反平面とその押し出し方向が鋭角をなすようにチルロール１２に引き付けられる。かかるＴダイ４においては、リップ口３２から押し出される樹脂が縁３８に強く接触し、縁３８と対をなす縁には弱く接触するので、縁３８近傍のリップ部３４にメヤニ等の異物が付着し易くなっている。異物除去装置１は、縁３８の近傍のリップ部３４に付着する異物を除去するために用いられる。
【００１６】
異物除去装置１は、案内体４０と、保持体４２と、除去具４４とを有している。案内体４０は、保持体を支持し、案内するためのものであり、スプライン軸４６と、一対の固定部４８とを有している。スプライン軸４６は、縁３８に平行な軸線に沿って延びている。一対の固定部４８はそれぞれＴダイ４の側面に取り付けられており、スプライン軸４６の端部を固定している。
【００１７】
保持体４２は、案内体４０により支持される被支持部５０と除去具４４を保持するための保持部５２とを有している。被支持部５０には貫通孔が形成されており、その貫通孔にスリーブ５４が嵌着されている。スリーブ５４がスプライン軸４６とスプライン供給されることによって、保持体４２はスプライン軸４６に沿って移動可能であり、また、軸まわりの回転が不可能となる。保持部５２には、リップ面３０に平行かつスプライン軸４６の軸線に交差する方向に延びる孔５６が形成されている。
【００１８】
除去具４４は、棒状の本体部５８を有している。本体部５８は保持体４２の孔５６に挿通されており、除去具４４は孔５６に沿って移動可能とされている。本体部５８の一端にはハンドル６０が設けられている。本体部５８の他端はリップ面３０に向けて折り曲げられており、その先に縁３８と平行にリップ面３０と接触する箆状の端部６２が設けられている。端部６２はリップ部３４に付着した異物を除去するために用いられるものであり、異物を粘着し難くするために端部６２の表面にはフッ素系樹脂を含む層が形成されている。この層は、フッ素系樹脂コーティング膜であっても良いが、摩擦に対する耐久性を向上させるためニッケルメッキ皮膜中にフッ素樹脂微粒子を分散させた複合メッキであることが好ましい。
【００１９】
さらに、除去具４４の本体部５８からは、位置規制部６４が延出している。位置規制部６４は、縁３８と平行かつリップ面３０に直交する面６６を有している。位置規制部６４は、除去具４４を孔５６に沿って移動させた場合に、面６６とこれに対面する被支持部５０の面６８が当接することによって、除去具の端部６２が縁３８に接するように位置決めする機能を有している。
【００２０】
また、位置規制部６４にはねじ７０が取り付けられており、ねじ７０はナット７２によって固定されている。図１及び図２に示す状態においては、位置規制部６４の面６６と被支持部５０の面６８とを当接させた場合に、ねじ７０の先端部がこれに対向する保持部５２の面７４と当接するように位置調整されている。フィルムの成形時には、ねじ７０を位置規制部６４から更に突出させることによって、除去具の端部６２を縁３８へ移動させる操作が誤って行われても、位置規制部６４の面６６と被支持部５０の面６８とが当接させる前に、ねじ７０の先端部を保持部５２の面７４に当接させることができ、除去具の端部６２が縁３８まで達することを防止することができる。
【００２１】
位置規制部６４の面６６と保持部５２の面７４との間にはコイルバネ７６が配設されている。コイルバネ７６には本体部５８が挿通されている。このコイルバネ７６は、除去具の端部６２がリップ面３０に沿って縁３８から離れるように位置規制部６４を付勢している。
【００２２】
次に、この異物除去装置１を用いて実施される異物除去方法について説明する。成形装置２の通常の稼働状態においては、除去具の端部６２は図２に示されるようにリップ部３４から離れた位置に置かれている。成形装置２によってフィルムを生成している際にリップ部３４に異物が発見された場合や、巻き取りロール２８の交換時などの所定のタイミングで、以下のように異物除去装置１が用いられる。
【００２３】
まず、位置規制部６４がバネによって付勢され、除去具の端部６２がリップ面３０においてリップ部３４から離れている状態を維持しつつ、スプライン軸４６に沿って保持体４２を移動させる（第１の工程）。このように除去具の端部６２を移動させることによって、図３に示されるように除去具の端部６２は縁３８近傍のリップ部３４のうち、異物ｄが付着しているリップ部３４の近傍へ案内される。この第１の工程においては、除去具の端部６２はリップ口３２から押し出される樹脂に接触することなく案内される。
【００２４】
次に、位置規制部６４の面６６が保持部５２の面６８に当接する位置までハンドル６０を押し込むことによって、図４の異物除去装置１の断面図に示すように除去具の端部６２を縁３８まで移動させる（第２の工程）。このように、除去具の端部６２をリップ面３０に沿って縁３８まで移動させることによって、縁３８近傍のリップ部３４に付着した異物は、リップ口３２から押し出される樹脂に押し付けられ、樹脂と共に除去される。
【００２５】
異物の除去が終了した後に、巻き取りロール２８に供給されるフィルムを切り離し、巻き取りロール２８に巻き取られたフィルムの端部を切り取ることによって、異物が押し付けられた樹脂によって構成されている部分のフィルムを破棄する。
【００２６】
以上の異物除去方法によればリップ口３２から押し出される樹脂にリップ部３４に付着した異物を押し付けて除去するので、成形装置２は稼動のままで、異物を除去することができる。また、かかる異物除去方法によれば、除去具の端部６２をリップ口３２に至らせることなく、リップ部３４に付着した異物を除去することができるので、リップ口３２から押し出される樹脂が除去具の端部６２に過剰に付着することがない。故に、除去具の端部６２によってリップ部３４を汚すことがない。
【００２７】
また、案内体４０のスプライン軸４６に沿って保持体４２を移動させることによって、除去具の端部６２を縁３８に沿う方向へ精度良く移動させることができ、保持体４２の孔５６に沿って案内体を移動させることによって、除去具の端部６２は縁３８へ精度良く案内することができるので、異物除去装置１によれば、本発明の異物除去方法によって実施される異物の除去が精度良く実現される。更に、Ｔダイ４と距離が離れたハンドル６０を操作することによって、除去具の端部６２を縁３８まで移動させることができるので、高温のＴダイ４に手が触れる危険を防止することができる。
【００２８】
第２実施形態においては、異物除去装置１を用いて行われる本発明の異物除去方法が効果的に適用される例として、縁３８にのみ異物が付着し易いフィルムについて説明する。
【００２９】
かかるフィルムとしての例としては、縁３８に接触する樹脂としてメヤニの発生頻度が高い樹脂をリップ口３２から押し出し、縁３８と対をなす縁に接触する樹脂としてメヤニの発生頻度が低い樹脂をリップ口３２から押し出して成形される多層フィルムが例示される。縁３８に接触してリップ口３２から押し出される樹脂としては、例えば、ポリオレフィン系樹脂１００重量部に対して、重量平均粒子径が１〜２０μｍである微粒子０．０１〜８０重両部を含有する熱可塑性樹脂組成物が例示される。上記の微粒子としては、例えば架橋ポリメタクリル酸メチルや架橋ポリスチレン、架橋シリコーン等の有機系微粒子や合成アルミノシリケート粉末やシリカ粉末、珪藻土、酸化チタン等の無機系微粒子などを用いることができる。
【００３０】
またこの他にも、縁３８に接触する樹脂としては、プロピレンを主体とした重合体部分とプロピレン−エチレン共重合体部分からなるプロピレン−エチレンブロック共重合体やその組成物、または上記ポリオレフィン系樹脂１００重両部に対し、ポリオレフィン系樹脂とは異なる密度８７０〜９７０ｋｇ／ｍ３のポリエチレン系樹脂０．５〜３０重両部を含有するポリオレフィン系樹脂組成物が例示される。ここでポリオレフィン系樹脂としては、プロピレン単独重合体やプロピレン−エチレン共重合体、プロピレン−エチレン−ブテン−１共重合体、プロピレン−ブテン−１共重合体、プロピレン−エチレンブロック共重合体等のポリプロピレン系樹脂を用いることができ、ポリエチレン系樹脂としては密度８７０〜９２０ｋｇ／ｍ３のエチレン−α−オレフィン共重合体を用いることができる。
【００３１】
一方、リップ口３２を挟んで縁３８と対をなす縁に接触する樹脂としては、ポリエチレン系樹脂やポリプロピレン系樹脂などのポリオレフィン系樹脂、ポリスチレン、ポリエチレンテレフタレートやポリブチレンテレフタレートなどのポリエステル系樹脂、ポリアミド系樹脂、ポリカーボネートなどの熱可塑性樹脂を用いることができる。この中でもフィルム加工性の観点から、特にビカット軟化温度が７０〜１８０℃である熱可塑性樹脂が好ましく、更には製造コストの観点から、ポリオレフィン系樹脂を含有する樹脂を用いることが好ましい。
【００３２】
以上、本発明の好適な実施形態について詳細に説明したが、本発明は上記実施形態に限定されるものではない。例えば、縁３８に除去具の端部６２を移動させた後、除去具の端部６２を縁３８に沿って移動させることによっても、リップ口３２から押し出される樹脂に異物を押し付けて除去することができる。
【００３３】
また、上記実施形態は、本発明の異物除去方法及びこの異物除去方法に用いる異物除去装置をＴダイ４を有するＴダイフィルム成形機に適用した例を示したものであるが、本発明の思想はインフレーションフィルム成形機やＴダイシート成形機、押出発泡シート成形機、押出ラミネートフィルム成形機等のリップ部に付着した異物を除去するための異物除去方法及びこの異物除去方法に用いる異物除去装置としても適用可能である。
【００３４】
【発明の効果】
以上説明したように、本発明の異物除去方法によれば、成形装置は稼動のままで、ダイのリップ部に付着した異物を除去することができる。したがって、かかる異物除去方法によれば、フィルムの成形効率を低下させることなく、リップ部から異物を除去して、良好な品質のフィルムを成形することができる。
【図面の簡単な説明】
【図１】図１は、実施形態にかかる異物除去装置の構成を示す断面図である。
【図２】図２は、図１の異物除去装置の構成を下方から見て示す図である。
【図３】図３は、成形装置の全体構成を概略的に示す側面図である。
【図４】図４は、実施形態にかかる異物除去装置の構成を下方から見て示す図であり、異物が付着したリップ部の縁の近傍まで除去具の端部が案内された状態を示す図である。
【図５】図５は、実施形態にかかる異物除去装置の構成を示す断面図であり、除去具の端部をリップ部の縁まで移動させた状態を示す図である。
【符号の説明】
１…異物除去装置、２…成形装置、４…Ｔダイ、１２…チルロール、２８…巻き取りロール、３０…リップ面、３２…リップ口、３４…リップ部、３８…縁、４０…案内体、４２…保持体、４４…除去具、４６…スプライン軸、４８…固定部、５０…被支持部、５２…保持部、５４…スリーブ、５８…本体部、６０…ハンドル、６２…端部、６４…位置規制部、７６…コイルバネ。
【図１】
2004223915.tif 000003
【図２】
2004223915.tif 000004
【図３】
2004223915.tif 000005
【図４】
2004223915.tif 000006
【図５】
2004223915.tif 000007